(57)【要約】【課題】蓋体を上下逆となるように反転して容器本体の上開口部内に嵌め込み収納した際にがたつきなく嵌め込み収納できる。【解決手段】容器本体１の側壁部に外面部が凹んだ容器側凹条部３０となり且つ内面部が凸となった容器側凸条部３１となった正面視略台形状をした嵌め込み部４０を容器本体１の上端部から少なくとも上部の蓋体２の上下長さ以上の上下長さで形成する。蓋体２の側壁部に外面部が凹んだ蓋側凹条部３２となり且つ内面部が凸となった蓋側凸条部３３となった正面視略逆台形状をした被嵌め込み部４１を上下方向にわたって形成する。蓋体２を上下逆にして容器本体１の上開口部から容器本体１内に嵌め込み収納した状態で、正面視略台形状をした嵌め込み部４０の内面部の容器側凸条部３１に正面視略逆台形状をした上下逆となった被嵌め込み部４１の外面部の蓋側凹条部３２を当接又は近接対向させて嵌め込む。【選択図】        図１
2004196361.tif 000002
【特許請求の範囲】
【請求項１】
上方が開口し且つ上方に行く程大径となった容器本体と、下方が開口し且つ下方に行く程大径となった蓋体とで構成され、使用状態で容器本体の上開口部に蓋体の下開口部を被せて蓋体により容器本体を開閉自在とし、且つ、空で搬送又は保管する状態で蓋体を上下逆にして容器本体の上開口部から蓋体を嵌め込み収納できるように構成した収納容器であって、容器本体の側壁部に外面部が凹んだ容器側凹条部となり且つ内面部が凸となった容器側凸条部となった正面視略台形状をした嵌め込み部を容器本体の上端部から少なくとも上部の蓋体の上下長さ以上の上下長さで形成し、蓋体の側壁部に外面部が凹んだ蓋側凹条部となり且つ内面部が凸となった蓋側凸条部となった正面視略逆台形状をした被嵌め込み部を上下方向にわたって形成し、蓋体を上下逆にして容器本体の上開口部から容器本体内に嵌め込み収納した状態で、正面視略台形状をした嵌め込み部の内面部の容器側凸条部に正面視略逆台形状をした上下逆となった被嵌め込み部の外面部の蓋側凹条部を当接又は近接対向させて嵌め込んで成ることを特徴とする収納容器。
【請求項２】
上方が開口し且つ上方に行く程大径となった容器本体と、下方が開口し且つ下方に行く程大径となった蓋体とで構成され、使用状態で容器本体の上開口部に蓋体の下開口部を被せて蓋体により容器本体を開閉自在とし、且つ、空で搬送又は保管する状態で蓋体を上下逆にして容器本体の上開口部から蓋体を嵌め込み収納できるように構成した収納容器であって、容器本体の側壁部の両側に外面部が凹んだ容器側凹条部となり且つ内面部が凸となった容器側凸条部となった嵌め込み部を容器本体の上端部から少なくとも上部の蓋体の上下長さ以上の上下長さで形成し、両側の嵌め込み部間に挟まれた容器本体の側壁の中間部の部位を正面視略台形状とし、蓋体の側壁部の両側に外面部が凹んだ蓋側凹条部となり且つ内面部が凸となった蓋側凸条部となった被嵌め込み部を上下方向にわたって形成し、両側の被嵌め込み部間に挟まれた蓋体の側壁の中間部の部位を正面視略逆台形状とし、蓋体を上下逆にして容器本体の上開口部から容器本体内に嵌め込み収納した状態で、両側の嵌め込み部間に挟まれた容器本体の側壁の正面視略台形状をした中間部の部位の内面部に、両側の被嵌め込み部間に挟まれた蓋体の側壁の正面視略逆台形状をした中間部の部位を当接又は近接対向させて嵌め込んで成ることを特徴とする収納容器。
【請求項３】
容器本体の上端部又は蓋体の外端部のいずれか一方にロック用係止部を有するバックルを回動自在に取付けると共にいずれか他方にロック用係止部が係止自在なロック用被係止部を設け、バックルの上下両端部の少なくとも一方又は両方にバックルの操作を行うための操作部を設け、該バックルの操作部を蓋体の蓋側凹条部又は容器本体の容器側凹条部の一方又は両方に対向させて成ることを特徴とする請求項１又は請求項２記載の収納容器。
【発明の詳細な説明】
【０００１】
【発明の属する技術分野】
本発明は、容器本体と蓋体とを具備する収納容器に関するものである。
【０００２】
【従来の技術】
従来から屋外などに設置される収納容器として、上方が開口し且つ上方に行く程大径となった容器本体と、下方が開口し且つ下方に行く程大径となった蓋体とで構成される収納容器が知られている。（例えば特許文献１、特許文献２参照）
このように下方が開口した蓋体を有する収納容器は容器本体内に容器本体よりも背の高い収納物を収納しても下方が開口した蓋体を被せることで収納物を覆った状態で収納できるという特徴を有している。
【０００３】
ところが、空の状態で搬送したり、保管したり、展示したりする場合、容器本体に上記下方が開口した蓋体を被せた状態のままであると、嵩が高くなり、大きなスペースが必要となるという問題がある。
【０００４】
そこで、空の状態で搬送したり、保管したり、展示したりする場合、下方が開口し且つ下方に行く程大径となった蓋体を上下逆にして上方が開口し且つ上方に行く程大径となった容器本体の上開口部から嵌め込み収納することが考えられる。
【０００５】
しかしながら、上記のように蓋体を上下反転して容器本体内に収納すると、クリアランスがあってがたつき、例えば搬送中にがたつくと傷がつくという問題がある。
【０００６】
また、従来に当たっては、容器本体又は蓋体に回動自在にバックルを取付け、容器本体に蓋体を被せた状態で該バックルにより容器本体と蓋体とをロックするようにしている。
【０００７】
上記特許文献１、特許文献２に示された従来例にあっては、ロック解除に当たっては、ロック係止片の先端に指先を引掛けて回動軸支部を中心にしてバックルを回動することでロック用係止部をロック用被係止部から離脱させてロック解除を行うようにしている。
【０００８】
このようにロック用係止部に指を引掛けてロック解除する従来例にあっては、係止部分に指先を掛けて強く引っ張るため、爪を引掛けしまうことがあり、爪あるいは、指先を傷めるおそれがあり、また、ロック係止片に直接指先を引掛けて回動軸支部を中心に回動操作するので指先に大きな力を必要とし、操作がし難いものである。
【０００９】
また、上記従来例にあっては、バックルは指先で引掛けるという方法でしかロック解除することができない。ところで、指先で引掛けるというロック解除の方法にあたっては、通常使用者は薬指や中指を引掛けてロック解除するのが一般的であるが、使用者が薬指や中指を痛めている場合には、普段引掛け操作に使用しない親指等を引掛けてロック解除しなければならず、作業がきわめてし難くなるものである。
【００１０】
【特許文献１】
登録実用新案第３０３８３５２号公報
【特許文献２】
特開平７−２８５６０４号公報
【００１１】
【発明が解決しようとする課題】
本発明は上記の点に鑑みてなされたものであり、容器本体及び蓋体の補強ができるだけでなく、簡単な構成で蓋体を上下逆となるように反転して容器本体の上開口部内に嵌め込み収納した際にがたつきなく嵌め込み収納でき、しかも補強及び嵌め込み収納の際のがたつき防止を行うための容器側凹条部又は蓋側凹条部を利用して容器本体や蓋体の外面からのバックルの突出長を短くしながらバックル操作がスムーズに行えるように構成できる収納容器を提供することを課題とするものである。
【００１２】
【課題を解決するための手段】
上記課題を解決するために本発明に係る収納容器は、上方が開口し且つ上方に行く程大径となった容器本体１と、下方が開口し且つ下方に行く程大径となった蓋体２とで構成され、使用状態で容器本体１の上開口部に蓋体２の下開口部を被せて蓋体２により容器本体１を開閉自在とし、且つ、空で搬送又は保管する状態で蓋体２を上下逆にして容器本体１の上開口部から蓋体２を嵌め込み収納できるように構成した収納容器３であって、容器本体１の側壁部に外面部が凹んだ容器側凹条部３０となり且つ内面部が凸となった容器側凸条部３１となった正面視略台形状をした嵌め込み部４０を容器本体１の上端部から少なくとも上部の蓋体２の上下長さ以上の上下長さで形成し、蓋体２の側壁部に外面部が凹んだ蓋側凹条部３２となり且つ内面部が凸となった蓋側凸条部３３となった正面視略逆台形状をした被嵌め込み部４１を上下方向にわたって形成し、蓋体２を上下逆にして容器本体１の上開口部から容器本体１内に嵌め込み収納した状態で、正面視略台形状をした嵌め込み部４０の内面部の容器側凸条部３１に正面視略逆台形状をした上下逆となった被嵌め込み部４１の外面部の蓋側凹条部３２を当接又は近接対向させて嵌め込んで成ることを特徴とするものである。
【００１３】
このような構成とすることで、容器側凹条部３０により容器本体１の補強ができると共に蓋側凹条部３２により蓋体２の補強ができるのはもちろんのこと、空の状態で搬送、保管、陳列等を行う際に、下方に行く程大径となった蓋体２を上下逆となるように反転して上方に行く程大径となった容器本体１の上開口部から嵌め込み収納して全体の嵩が低くなるようにコンパクトにできるものであり、しかも、この場合、正面視略台形状をした嵌め込み部４０の内面部の容器側凸条部３１に正面視略逆台形状をした上下逆となった被嵌め込み部４１の外面部の蓋側凹条部３２を当接又は近接対向させて嵌め込まれるので、容器本体１に対して蓋体２ががたつかないように嵌め込み収納できるものである。
【００１４】
また、上方が開口し且つ上方に行く程大径となった容器本体１と、下方が開口し且つ下方に行く程大径となった蓋体２とで構成され、使用状態で容器本体１の上開口部に蓋体２の下開口部を被せて蓋体２により容器本体１を開閉自在とし、且つ、空で搬送又は保管する状態で蓋体２を上下逆にして容器本体１の上開口部から蓋体２を嵌め込み収納できるように構成した収納容器３であって、容器本体１の側壁部の両側に外面部が凹んだ容器側凹条部３０となり且つ内面部が凸となった容器側凸条部３１となった嵌め込み部４０を容器本体１の上端部から少なくとも上部の蓋体２の上下長さ以上の上下長さで形成し、両側の嵌め込み部４０間に挟まれた容器本体１の側壁の中間部の部位４５を正面視略台形状とし、蓋体２の側壁部の両側に外面部が凹んだ蓋側凹条部３２となり且つ内面部が凸となった蓋側凸条部３３となった被嵌め込み部４１を上下方向にわたって形成し、両側の被嵌め込み部４１間に挟まれた蓋体２の側壁の中間部の部位４６を正面視略逆台形状とし、蓋体２を上下逆にして容器本体１の上開口部から容器本体１内に嵌め込み収納した状態で、両側の嵌め込み部４０間に挟まれた容器本体１の側壁の正面視略台形状をした中間部の部位４５の内面部に、両側の被嵌め込み部４１間に挟まれた蓋体２の側壁の正面視略逆台形状をした中間部の部位４６を当接又は近接対向させて嵌め込んで成ることを特徴とすることも好ましい。
【００１５】
このような構成とすることで、容器側凹条部３０により容器本体１の補強ができると共に蓋側凹条部３２により蓋体２の補強ができるのはもちろんのこと、空の状態で搬送、保管、陳列等を行う際に、下方に行く程大径となった蓋体２を上下逆となるように反転して上方に行く程大径となった容器本体１の上開口部から嵌め込み収納して全体の嵩が低くなるようにコンパクトにできるものであり、しかも、この場合、両側の嵌め込み部４０間に挟まれた容器本体１の側壁の正面視略台形状をした中間部の部位４５の内面部に、両側の被嵌め込み部４１間に挟まれた蓋体２の側壁の正面視略逆台形状をした中間部の部位４６を当接又は近接対向させて嵌め込まれるので、容器本体１に対して蓋体２ががたつかないように嵌め込み収納できるものである。
【００１６】
また、容器本体１の上端部又は蓋体２の外端部のいずれか一方にロック用係止部４を有するバックル５を回動自在に取付けると共にいずれか他方にロック用係止部４が係止自在なロック用被係止部６を設け、バックル５の上下両端部の少なくとも一方又は両方にバックル５の操作を行うための操作部４２を設け、該バックル５の操作部４２を蓋体２の蓋側凹条部３２又は容器本体１の容器側凹条部３０の一方又は両方に対向させることが好ましい。このような構成とすることで、容器本体１、蓋体２の補強を行い且つ空の状態で蓋体２を上下逆にして容器本体１に嵌め込んだ状態で蓋体２を容器本体１に対してがたつかないようにするための容器側凹条部３０、蓋側凹条部３２を利用して容器本体１や蓋体２の外面からのバックル５の突出長を短くしながらバックル５操作がスムーズに行えるものである。
【００１７】
【発明の実施の形態】
以下、本発明を添付図面に示す実施形態に基づいて説明する。
【００１８】
本発明の収納容器３は、上方が開口し且つ上方に行く程大径となった容器本体１と、下方が開口し且つ下方に行く程大径となった蓋体２とで構成してあり、使用状態で容器本体１の上開口部に蓋体２の下開口部を被せて蓋体２により容器本体１を開閉自在とし、且つ、空で搬送又は保管する状態で蓋体２を上下逆にして容器本体１の上開口部から蓋体２を嵌め込み収納できるように構成してある。
【００１９】
図１乃至図６に示すように、容器本体１は平面視長方形状又は正方形状をしたもので、上開口の外周部に容器側フランジ部１２を設けてある。容器側フランジ部１２は断面逆Ｌ字状をしている。一方、上記容器本体１の上開口に着脱自在に被せられる蓋体２は下開口の外周部に蓋側フランジ部１３が設けてある。蓋側フランジ部１３は断面略Ｌをした蓋側フランジ部１３は容器側フランジ部１２に着脱自在に被嵌自在となっている。
【００２０】
容器本体１は合成樹脂製で上方に行くほど水平断面形状が大きくなるように側壁部が上広がりに傾斜して形成してある。図１、図２、図３に示すように、容器本体１の側壁部に外面部が凹んだ容器側凹条部３０となり且つ内面部が凸となった容器側凸条部３１となった正面視略台形状をした嵌め込み部４０を容器本体１の上端部から少なくとも上部の蓋体２の上下長さ以上の上下長さで形成してある。添付図面に示す実施形態では容器本体１の上下の一対の対向する側壁部にそれぞれ嵌め込み部４０が上下方向にわたって複数形成した例が示してある。
【００２１】
また、蓋体２は合成樹脂製で下方に行くほど水平断面形状が大きくなるように側壁部が下広がりに傾斜して形成してある。図１、図２、図３に示すように、蓋体２の側壁部に外面部が凹んだ蓋側凹条部３２となり且つ内面部が凸となった蓋側凸条部３３となった正面視略逆台形状をした被嵌め込み部４１を上下方向にわたって形成してある。添付図面に示す実施形態では蓋体２の一対の対向する側壁部に被嵌め込み部４１を上下方向にわたって複数形成した例が示してある。
【００２２】
容器側凹条部３０、容器側凸条部３１は下に行くほど横幅が狭くなるような正面視略台形状をしており、また、蓋側凹条部３２、蓋側凸条部３３は上に行くほど横幅が狭くなるような正面視略逆台形状をしている。そして、容器本体１の上開口に蓋体２を被せた状態で、容器側凹条部３０の真上に蓋側凹条部３２が位置するようになっている。容器側凸条部３１の上端部の横幅と蓋側凹条部３２の下端部の横幅とをほぼ等しくしなっており、正面視略台形状の容器側凸条部３１の両側の傾斜と、正面視略逆台形状の蓋側凹条部３２を上下逆にした場合における両側の傾斜とが同じ傾斜となっている。そして、収納容器３を搬送あるいは展示する際に、嵩を低くするために、図７に示すように、蓋体２を上下逆にして容器本体１の上開口から容器本体１内に嵌め込み収納できるようになっており、この場合、容器本体１の容器側凸条部３１に上下逆にした蓋体２の蓋側凹条部３２を被嵌して当接又はごく僅かな隙間を介して近接対向させて容器本体１に対して蓋体２ががたつかないように嵌め込み収納できるようになっている。
【００２３】
上記平面視長方形状又は正方形状をした容器側フランジ部１２の一辺、又は、平面視長方形状又は正方形状をした蓋側フランジ部１３の一辺のいずれか一方側に軸１４が設けてあると共にいずれか他方に軸受け１５が設けてあって軸１４を軸受け１５に回動自在に取付けることで容器本体１に対して蓋体２を回動自在に取付けてある。
【００２４】
添付図面に示す実施形態では、図１４に示すように、容器本体１の容器側フランジ部１２の一辺部の容器側凹条部３０の上端部に対応する部位に凹欠部１６を設け、この凹欠部１６の下部に横向きに軸１４を設けてある。
【００２５】
また、図１５に示すように、蓋体２の蓋側フランジ部１３の一辺部の蓋側凹条部３２の下端部に対応する部位に軸受け部１５が設けてある。軸受け部１５は蓋側フランジ部１３の一辺部の蓋側凹条部３２の下端部に対応する部位に凹欠部３４を設け、凹欠部３４の下端部にＬ字状片１５ａと逆Ｌ字状片１５ｂとを横方向に隙間を介して隣接して形成することで軸受け部１５を構成してある。ここで、Ｌ字状片１５ａの下横片１５ｃと逆Ｌ字状片１５ｂの上横片１５ｄとが隙間を介して上下に対向しており、蓋体２を起立させた状態で逆Ｌ字状片１５ｂの上横片１５ｄとの間の隙間を上方から軸１４に嵌め込むことで図１０、図１１に示すように軸１４に軸受け部１５を回動自在に取付けるようになっている。
【００２６】
また、上記軸１４を設けた辺又は軸受け部１５を設けた辺と対向する容器側フランジ部１２の他辺、又は、蓋側フランジ部１３の他辺のいずれか一方側に、ロック用係止部４を有するバックル５を回動自在に取付けると共にいずれか他方にロック用係止部４が係止自在なロック用被係止部６を設けてある。
【００２７】
添付図面に示す実施形態においては、容器本体１の容器側フランジ部１２の他辺のにバックル５が回動自在に複数取付けてあり、蓋体２の蓋側フランジ部１３の他辺にロック用被係止部６が複数設けてある。
【００２８】
すなわち、図１２に示すように、容器本体１の容器側フランジ部１２の他辺の容器側凹条部３０の上端部に対応する部位にバックル取付け用凹部１７を設け、このバックル取付け用凹部１７の両内側壁に軸受け孔１８を設けてあり、上記バックル取付け用凹部１７の両内側壁間の幅が上から軸受け孔１８側に近づくほど短くなるように傾斜した案内傾斜面１７ａとなっている。
【００２９】
バックル５は図１６に示すようなもので合成樹脂により形成してあって、前片部１９の外周端縁部から背方に外周片部２０が突設してあり、外周片部のうち対向する両側片部２１の略中央部に背方に開口したコ字状切欠部２２が設けてあり、側片２１の上記コ字状切欠部２２を挟んで上下に対向する部位のうち一方（図の実施形態ではコ字状切欠部２２の下側の部位）から外側方に向けて回動軸支部７となる軸部２３が突設してあり、軸部２３の突出端面は上下方向に傾斜していて案内面２３ａとなっている。
【００３０】
側片部２１の上記コ字状切欠部２２を挟んで上下に対向する部位のうち他方（図の実施形態ではコ字状切欠部２２の上側の部位）間に側片部２１と前片部１９とに一体に連設して横片部２４が配設してあり、この横片部２４の突出先端部の上下方向においてコ字状切欠部２２側を向いた面（添付図面に示す実施形態では下面）に突部２５が突設してある。コ字状切欠部２２の上記横片部２４を架設した方の縁部と上記突部２５とがロック用係止部４を構成している。
【００３１】
また、バックル５の前片部１９のバックル５の上記回動軸支部７となる軸部２３を境にして上下方向において上記ロック用係止部４と反対側にずれた位置にロック解除用の押圧部８を設けてある。押圧部８は容器側フランジ部１２の凹欠部１６の下端部よりも下方に突出しており、この下方に突出した押圧部８のは容器側凹条部３０の上端部と対向しており、この容器側凹条部３０の上端部の部位が後述のように押圧部８を押圧してバックル５を回動軸支部７を中心に回動した際に押圧部８が入り込むための凹部１０を構成している。
【００３２】
また、バックル５の上下方向において上記押圧部８を設けた側と反対側の端部には指掛け部９が設けてある。すなわち、このロック用係止部４はバックル５の上下方向において回動軸支部７を挟んで指掛け部９を設けた側に設けてあり、しかも、指掛け部９はロック用係止部４よりも回動軸支部７から上下方向に離れた位置に設けてある。上記指掛け部９とロック用係止部４との間の前片部１９の部位がロック操作の際に押圧操作するためのロック用押圧操作部２６となっている。
【００３３】
上記バックル５に設けた押圧部８、指掛け部９、ロック用押圧操作部２６がバックル５のロック操作、ロック解除操作を行うための操作部４２となっている。
【００３４】
バックル取付け用凹部１７の両内側壁の案内傾斜面１７ａにバックル５の両側の両軸部２３の上記案内面２３ａを案内ガイドとして押し込むことで両軸部２３を両軸受け孔１８に回動自在に嵌め込むようになっている。
【００３５】
図１３に示すように、蓋体２の蓋側フランジ部１３の他辺の蓋側凹条部３２の下端部に対応する部位に蓋側切欠部３５が設けてあり、この蓋側切欠部３５内に奥側から断面Ｌ状をしたロック用被係止部６が突設してある。ロック用被係止部６の上面部の先端部には係止突起３６が突設してある。
【００３６】
また、図２乃至図４、図６に示すように、容器本体１の下面部の一方側の端部にはキャスター３７を取付けたキャスター受け３８が設けてあり、下面部の中央部及び他方側の端部には接地脚３９が設けてある。接地脚３９、キャスタ受け３８の接地脚３９を向いた部位はキャスター３７と同じか又は少し下となるようなレベルとなっていて接地が安定し、接地脚３９側を浮かせるように容器本体１を傾けた場合はキャスター３７のみが接地して容易に移動できるようになっている。
【００３７】
しかして、図９のようにバックル５を倒した状態で容器本体１の上開口を蓋体２で覆うと共に蓋側フランジ部１３を容器側フランジ部１２に被嵌する。この状態で、バックル５のロック用押圧操作部２６を図９矢印イ方向に押圧し、ロック用係止部４をロック用被係止部６に係止する。この場合、図８に示すようにバックルの両側片部２１のコ字状切欠部２２が断面Ｌ字状をしたロック用被係止部６に嵌め込まれコ字状切欠部２２の横片部２４を架設した方の縁部が断面Ｌ字状をしたロック用被係止部６の横片に弾性的に係止し且つ突部２５が係止突起３６に弾性的に係止することでバックル５によりロックがなされて容器本体１を蓋体２で閉じた状態が保持される。上記バックル５のロック操作において、ロック用押圧操作部２６を回動軸支部７よりも上下方向において遠い位置に設けてあるので、ロック用押圧操作部２６を軽い力で押圧しても大きなモーメント力を発生させることできて、ロック用押圧操作部２６を軽い力で押圧してもロック用係止部４をロック用被係止部６に弾性的に強い弾性係止力により係止操作することが可能となる。
【００３８】
図８に示すようにバックル５のロック状態においてバックル５の上端の指掛け部９はロック用被係止部６の横片よりも上方に突出した位置となるようになっており、この指掛け部９の背面側に蓋側凹条部３２に対向していて該蓋側凹条部３２の指掛け部９と対向する部分が指を入れることができる凹所１１となっている。
【００３９】
一方、図８のバックル５のロック状態においてバックル５によるロックを解除するには、図８において矢印ロ方向にバックル５の押圧部８を押圧して回動軸支部７を中心にバックル５を回動することで、ロック用係止部４をロック用被係止部６から離脱させてロック解除ができるものである。この場合、親指や人差し指や中指等により押圧部８を押圧操作することで、従来のように指先を引掛けて回動操作させてロック解除するものに比べ、爪などを傷つけることなく、押圧操作で容易にロック解除することができるものである。
【００４０】
また、収納容器３を設置している場所の状況や、使用者の姿勢、あるいは指の状況（例えば押圧するための親指を痛めている場合等）等の理由で押圧部８を押圧操作してロック解除がし難い場合などは、指掛け部９に指先を掛けて回動軸支部７を中心にバックル５を回動することで、ロック用係止部４をロック用被係止部６から離脱させてロック解除することもできるものである。この場合、上下方向において指掛け部９をロック用係止部４よりも回動軸支部７から離してあることで、指掛け部９に引掛けて指先で加える小さな力で大きなモーメント力を生じさせてロック用係止部４をロック用被係止部６から容易に離脱させることができるものである。
【００４１】
ところで、本発明においては、押圧部８を押圧してバックル５を回動軸支部７を中心に回動した際に押圧部８が入り込む凹部１０を設けてあり、この凹部１０は容器本体１の外面部よりも内側に凹んでいるので、押圧部８を押圧してバックル５を回動してロック解除する際に、押圧部８を容器本体１の外面部よりも内側に没入させることができるものである。これにより容器本体１の外面からのバックル５の突出長さをできるだけ短くでき、しかも、このようにバックル５の容器本体１の外面からの突出長さを短くしながら回動軸支部７から押圧部８までの長さを長くできて押圧力で大きなモーメントが発生して容易にロック解除ができるることになる。
【００４２】
また、蓋体２の外面部の指掛け部９に対応する部位に指を入れることができる凹所１１を設けてあるので、指掛け部９に指先を入れる際に凹所１１に指先を入れて指掛け部９に指先を引掛けることができ、これにより指掛け部９を設けるものにおいても容器本体１又は蓋体２の外面からのバックル５の突出長さをできるだけ短くできることになる。
【００４３】
ところで、収納容器３を空の状態で搬送したり、展示したりする場合、できるだけ嵩を低くする必要があるので、本発明においては、蓋体２を容器本体１に取付けない状態で、図７に示すように、蓋体２を上下逆にして容器本体１の上開口から嵌め込むことができるようになっている。この場合、容器本体１の容器側凸条部３１に上下逆にした蓋体２の蓋側凹条部３２が被嵌して当接または近接対向させて容器本体１に対して蓋体２ががたつかないように嵌め込み収納できるようになっている。つまり、本発明においては、容器本体１の補強用に設けられ且つ一部が押圧部８が入り込む凹部１０となった容器側凹条部３０と、蓋体２の補強用に設けられ且つ一部が指先を入れる凹所１１となった蓋側凹条部３２を利用して容器本体１に蓋体２を上下逆にして嵌め込み収納した際のがたつき防止の役目を兼用させることができるものである。
【００４４】
なお、上記実施形態において、容器本体１側にロック用係止部４を有するバックル５を回動自在に取付け、蓋体２側にロック用被係止部６を設けた例を示したが、蓋体２側にロック用係止部４を有するバックル５を回動自在に取付け、容器本体１側にロック用被係止部６を設けるものであってもよいものである。
【００４５】
また、上記実施形態においては、バックル５に指掛け部９を設けた例を示したが、指掛け部９を設けない場合であってもよいものである。
【００４６】
上記実施形態においては、容器側凹条部３０、蓋側凹条部３２の各横幅をバックル５が対向する部分においてバックル５の横幅よりも僅かに横幅が広い寸法にし、これにより容器側凹条部３０、蓋側凹条部３２のバックル５の操作部４２と対向する部位に横方向から異物が入り難い構造として操作部４２を操作してバックル５のロックあるいはロック解除操作を行う際に支障なくスムーズに行えるようにし、また、バックル５の側部に側方から異物が当たってバックル５を損傷したりしないようになっている。
【００４７】
このように容器側凹条部３０、蓋側凹条部３２の各横幅をバックル５が対向する部分においてバックル５の横幅よりも僅かに横幅が広い寸法にする他例をして図１７に示す実施形態をあげることができる。
【００４８】
また、正面視略台形状をした嵌め込み部４０の両側辺又は一側辺、正面視略逆台形状をした被嵌め込み部４１の両側辺又は一側辺が傾斜した直線となっている場合だけでなく、曲線の場合もある。この場合の一例を図１８に示しており、正面視略台形状をした嵌め込み部４０の一側辺、正面視略逆台形状をした被嵌め込み部４１の一側辺が傾斜した直線となり、正面視略台形状をした嵌め込み部４０の他側辺、正面視略逆台形状をした被嵌め込み部４１の他側辺が傾斜した曲線となっている。もちろん、正面視略台形状をした嵌め込み部４０の両側辺、正面視略逆台形状をした被嵌め込み部４１の両側辺が傾斜した曲線となっていてもよい。
【００４９】
もちろん本発明においては上記の各実施形態にのみ限定されず、図１９のように容器本体１、蓋体２の側壁部の横方向の中間部分にそれぞれ横幅の広い容器側凹条部３０、蓋側凹条部３２を形成し、この横幅の広い容器側凹条部３０、蓋側凹条部３２にそれぞれ複数個（図１９においては２個）のバックル５を配置したものであってもよ。
【００５０】
次に、更に他の実施形態につき説明する。本実施形態では図２０のように容器本体１の側壁部の両側に外面部が凹んだ容器側凹条部３０となり且つ内面部が凸となった容器側凸条部３１となった嵌め込み部４０を容器本体１の上端部から少なくとも上部の蓋体２の上下長さ以上の上下長さで形成し（図２０では上下方向の全長に設けてある）、両側の嵌め込み部４０間に挟まれた容器本体１の側壁の中間部の部位４５を正面視略台形状としてある。また、蓋体２の側壁部の両側に外面部が凹んだ蓋側凹条部３２となり且つ内面部が凸となった蓋側凸条部３３となった被嵌め込み部４１を上下方向にわたって形成し、両側の被嵌め込み部４１間に挟まれた蓋体２の側壁の中間部の部位４６を正面視略逆台形状としてある。嵌め込み部４０、被嵌め込み部４１の形状、形成位置を除き他の構成は前述の実施形態と同様であるので説明は省略する。本実施形態では、蓋体２を上下逆にして容器本体１の上開口部から容器本体１内に嵌め込み収納した状態で、両側の嵌め込み部４０間に挟まれた容器本体１の側壁の正面視略台形状をした中間部の部位４５の内面部に、両側の被嵌め込み部４１間に挟まれた蓋体２の側壁の正面視略逆台形状をした中間部の部位４６を当接又は近接対向させて嵌め込むものであり、これにより蓋体２を収納した状態において容器本体１に対して蓋体２のがたつきを防止するものである。本実施形態においても両側の嵌め込み部４０の容器側凹条部３０、両側の被嵌め込み部４１の蓋側凹条部３２にそれぞれバックル５の下部と上部とが対向するように配置してある。
【００５１】
【発明の効果】
上記のように本発明の請求項１記載の発明にあっては、容器本体に側壁部に外面部が凹んだ容器側凹条部となり且つ内面部が凸となった容器側凸条部となった嵌め込み部を形成し、蓋体の側壁部に外面部が凹んだ蓋側凹条部となり且つ内面部が凸となった蓋側凸条部となった被嵌め込み部を形成しているので、嵌め込み部、被嵌め込み部により容器本体、蓋体の補強ができ、また、空で搬送又は保管する状態で下方が開口し且つ下方に行く程大径となった蓋体を上下逆にして上方が開口し且つ上方に行く程大径となった容器本体の上開口部から蓋体を嵌め込み収納できるように構成してあるので、蓋体を上下逆にして容器本体の上開口部から嵌め込み収納して嵩を低くしてコンパクトにできるものであり、しかも、この場合、正面視略台形状をした嵌め込み部の内面部の容器側凸条部に正面視略逆台形状をした上下逆となった被嵌め込み部の外面部の蓋側凹条部を当接又は近接対向させて嵌め込まれるので、容器本体に対して蓋体ががたつかないように嵌め込み収納できるものである。
【００５２】
また、請求項２にあっては、容器本体に側壁部に外面部が凹んだ容器側凹条部となり且つ内面部が凸となった容器側凸条部となった嵌め込み部を形成し、蓋体の側壁部に外面部が凹んだ蓋側凹条部となり且つ内面部が凸となった蓋側凸条部となった被嵌め込み部を形成しているので、嵌め込み部、被嵌め込み部により容器本体、蓋体の補強ができ、また、空で搬送又は保管する状態で下方が開口し且つ下方に行く程大径となった蓋体を上下逆にして上方が開口し且つ上方に行く程大径となった容器本体の上開口部から蓋体を嵌め込み収納できるように構成してあるので、蓋体を上下逆にして容器本体の上開口部から嵌め込み収納して嵩を低くしてコンパクトにできるものであり、しかも、この場合、両側の嵌め込み部間に挟まれた容器本体の側壁の正面視略台形状をした中間部の部位の内面部に、両側の被嵌め込み部間に挟まれた蓋体の側壁の正面視略逆台形状をした中間部の部位を当接又は近接対向させて嵌め込まれるので、容器本体に対して蓋体ががたつかないように嵌め込み収納できるものである。
【００５３】
また、請求項３記載の発明にあっては、上記請求項１又は請求項２記載の発明の効果に加えて、容器本体の上端部又は蓋体の外端部のいずれか一方にロック用係止部を有するバックルを回動自在に取付けると共にいずれか他方にロック用係止部が係止自在なロック用被係止部を設け、バックルの上下両端部の少なくとも一方又は両方にバックルの操作を行うための操作部を設け、該バックルの操作部を蓋体の蓋側凹条部又は容器本体の容器側凹条部の一方又は両方に対向させてあるので、容器本体、蓋体の補強を行い且つ空の状態で蓋体を上下逆にして容器本体に嵌め込んだ状態で蓋体を容器本体に対してがたつかないようにするための容器側凹条部、蓋側凹条部を利用して容器本体や蓋体の外面からのバックルの突出長を短くしながらバックル操作がスムーズに行えるものである。
【図面の簡単な説明】
【図１】本発明の収納容器の斜視図である。
【図２】同上の正面図である。
【図３】同上の背面図である。
【図４】同上の側面図である。
【図５】同上の平面図である。
【図６】同上の断面図である。
【図７】（ａ）は同上の蓋体のを上下逆にして容器本体の上開口部から内部に嵌め込み収納した状態の断面図であり、（ｂ）は容器本体の容器側凸状部に上下逆にした蓋体の蓋側凹条部を被嵌した部分の水平断面図である。
【図８】同上のバックルでロックしている状態の断面図である。
【図９】同上のバックルによるロックを解除した状態の断面図である。
【図１０】同上の容器本体に蓋体を回動自在に軸支した部分の断面図である。
【図１１】同上の容器本体に蓋体を回動自在に軸支した他の部分の断面図である。
【図１２】同上の容器本体のバックルを取付ける部分の斜視図である。
【図１３】同上の蓋体のロック用被係止部を設けた部分の斜視図である。
【図１４】同上の容器本体の軸を設けた部分の斜視図である。
【図１５】同上の蓋体の軸受け部を設けた部分の斜視図である。
【図１６】同上に使用するバックルを示し、（ａ）は正面から見た斜視図であり、（ｂ）は背面から見た斜視図であり、（ｃ）は正面図である。
【図１７】本発明の他の実施形態の正面図である。
【図１８】本発明の更に他の実施形態の正面図である。
【図１９】本発明の更に他の実施形態の正面図である。
【図２０】本発明の更に他の実施形態の正面図である。
【符号の説明】
１  容器本体
２  蓋体
３  収納容器
４  ロック用係止部
５  バックル
６  ロック用被係止部
７  回動軸支部
３０  容器側凹条部
３１  容器側凸条部
３２  蓋側凹条部
３３  蓋器側凸条部
４０  嵌め込み部
４１  被嵌め込み部
【図１】
2004196361.tif 000003
【図２】
2004196361.tif 000004
【図３】
2004196361.tif 000005
【図４】
2004196361.tif 000006
【図５】
2004196361.tif 000007
【図６】
2004196361.tif 000008
【図７】
2004196361.tif 000009
【図８】
2004196361.tif 000010
【図９】
2004196361.tif 000011
【図１０】
2004196361.tif 000012
【図１１】
2004196361.tif 000013
【図１２】
2004196361.tif 000014
【図１３】
2004196361.tif 000015
【図１４】
2004196361.tif 000016
【図１５】
2004196361.tif 000017
【図１６】
2004196361.tif 000018
【図１７】
2004196361.tif 000019
【図１８】
2004196361.tif 000020
【図１９】
2004196361.tif 000021
【図２０】
2004196361.tif 000022